(57)【要約】【課題】構造が丈夫で使用安全性が高い工具落下防止索具を提供する。【解決手段】長手方向へ伸縮可能に形成された布帯ユニット２１と、長手方向に沿って伸縮可能に布帯ユニット２１を貫通して設けられたメイン弾性ユニット２２とからなる接続帯２と、それぞれが接続帯の両端に連結され、接続帯と連結した端と反対側の端にそれぞれ工具を引掛けて止めることができるフック３１が装着されている２本の留めユニット３、３と、を備えている。【選択図】図１
0003165638.tif 000002
【実用新案登録請求の範囲】
【請求項１】
長手方向へ伸縮可能に形成された布帯ユニットと、長手方向に沿って伸縮可能に前記布帯ユニットを貫通して設けられたメイン弾性ユニットとからなる接続帯と、
それぞれが前記接続帯の両端に連結され、前記接続帯と連結した端と反対側の端にそれぞれ工具を引掛けて止めることができるフックが装着されている２本の留めユニットと、
を備えていることを特徴とする工具落下防止索具。
【請求項２】
前記メイン弾性ユニットは、帯の形をして前記布帯ユニットを貫通して設けられ、
前記布帯ユニットと前記メイン弾性ユニットとは、一体に縫い合わされていることを特徴とする請求項１に記載の工具落下防止索具。
【請求項３】
前記布帯ユニットは、前記メイン弾性ユニットの両面に設けられた第１の伸縮部と第２の伸縮部と、前記第１の伸縮部と前記第２の伸縮部とを連結する連結部とを有し、
前記第１の伸縮部は、前記メイン弾性ユニットの一面側にそれぞれが長手方向と直角に互いに間隔をおいて平行に並んだ複数の第１の伸縮部材と、前記メイン弾性ユニットの他面にそれぞれが隣接する第１の伸縮部材の間に対応して配置されるように長手方向と直角に互いに間隔をおいて平行に並んだ複数の第２の伸縮部材とを有し、
前記連結部は、それぞれ隣接する前記第１の伸縮部材と前記第２の伸縮部材の端同士を接続する複数の連結部材を有することを特徴とする請求項２に記載の工具落下防止索具。
【請求項４】
前記工具落下防止索具は更に、前記接続帯の長手方向の両側縁にそれぞれ連結して設けられたサイド弾性ユニットを有することを特徴とする請求項３に記載の工具落下防止索具。
【請求項５】
前記留めユニットは、織成された扁平帯を用いたことを特徴とする請求項４に記載の工具落下防止索具。
【請求項６】
更に、前記フックに掛けられたループ状に形成されたワイヤを有することを特徴とする請求項５に記載の工具落下防止索具。
【考案の詳細な説明】
【技術分野】
【０００１】
本考案は、例えば工事現場等で使用される各種工具の落下を防止するための工具落下防止索具に関する。
【背景技術】
【０００２】
一般的に、工事現場で作業員が所定の作業を行うための工具を所持しており、工具を使用しないときは作業員の身に装着したホルダ等に収納しているが、作業中等に誤って工具を落とす場合があるため、例えば図６に示すように、索具１０の一端にある使用者連結部としてのフック１４を作業員側に係止し、索具１０の他端にあるリング１３を工具（図示せず）に連結することにより、万が一工具を落しても工具を索具１０によって作業員に繋ぎ止めるようにしている（例えば、特許文献１参照）。
【先行技術文献】
【特許文献】
【０００３】
【特許文献１】台湾実用新案登録第Ｍ375720号明細書
【考案の概要】
【考案が解決しようとする課題】
【０００４】
上記従来例の工具落下防止索具１０では、図６、７に示すように、フレキシブル伸縮線体１１１、１１１、・・・を数本束ねてフレキシブル伸縮ロープ体１１を構成し、外側を軟質被覆体１２で覆われて蛇腹状に形成されているので、索具１０に伸縮性を付与することができると共に、軟質被覆体１２が引張られても平らになることで、伸縮ロープ体１１が過度に引張られることを防ぐ効果を発揮することができる。しかしながら、軟質被覆体１２が平らになるほどの過大な力が伸縮ロープ体１１に掛かると、伸縮線体１１１の負荷耐力を超えて伸縮線体１１１が亀裂、破断してしまい、工具の重さに耐えられず索具１０が破壊される問題点がある。
【０００５】
本考案は、上記問題点に鑑みてなされたものであり、構造が丈夫で使用安全性が高い工具落下防止索具を提供することを目的とする。
【課題を解決するための手段】
【０００６】
上記目的を解決するために、本考案は、長手方向へ伸縮可能に形成された布帯ユニットと、長手方向に沿って伸縮可能に前記布帯ユニットを貫通して設けられたメイン弾性ユニットとからなる接続帯と、それぞれが前記接続帯の両端に連結され、前記接続帯と連結した端と反対側の端にそれぞれ工具を引掛けて止めることができるフックが装着されている２本の留めユニットを備えていることを特徴とする工具落下防止索具を提供する。
【０００７】
本考案の工具落下防止索具において、前記メイン弾性ユニットは帯の形をして、前記布帯ユニットを貫通して設けられ、前記布帯ユニットと前記メイン弾性ユニットとは、一体に縫い合わされることが好ましい。
【０００８】
本考案の工具落下防止索具において、前記布帯ユニットは、前記メイン弾性ユニットの両面に設けられた第１の伸縮部と第２の伸縮部と、前記第１の伸縮部と前記第２の伸縮部とを連結する連結部とを有し、
前記第１の伸縮部は、前記メイン弾性ユニットの一面側にそれぞれが長手方向と直角に互いに間隔をおいて平行に並んだ複数の第１の伸縮部材と、前記メイン弾性ユニットの他面にそれぞれが隣接する第１の伸縮部材の間に対応して配置されるように長手方向と直角に互いに間隔をおいて平行に並んだ複数の第２の伸縮部材とを有し、前記連結部は、それぞれ隣接する前記第１の伸縮部材と前記第２の伸縮部材の端同士を接続する複数の連結部材を有することが好ましい。
【０００９】
本考案の工具落下防止索具において、更に、前記接続帯の長手方向の両側縁にそれぞれ連結して設けられたサイド弾性ユニットを有することが好ましい。
【００１０】
本考案の工具落下防止索具において、前記留めユニットは、織成された扁平帯を用いることが好ましい。
【００１１】
本考案の工具落下防止索具において、更に、前記フックに掛けられたループ状に形成されたワイヤを有することが好ましい。
【考案の効果】
【００１２】
本考案の工具落下防止索具によれば、布帯ユニット及びメイン弾性ユニットが一体に縫い合わされているので、接続帯が第１の長さに収縮する状態と、第１の長さより長い第２の長さに伸長する状態とに伸縮することができる。従って、メイン弾性ユニットが均一に外力を受けることができ、従来のように一部のみが単独に外力を受けることがなくなる。また、布帯ユニット及びメイン弾性ユニットが一体に縫い合わされているので、布帯ユニットがメイン弾性ユニットに受けた作用力の一部を負担することができ、接続帯の構造をより丈夫にし、長く使用することができる。また、メイン弾性ユニットとサイド弾性ユニットが伸びすぎないようにすることができるので、メイン弾性ユニットの弾性疲労を大幅に軽減することができ、作業安全性を大幅に向上することができる。
【図面の簡単な説明】
【００１３】
【図１】本考案の一実施の形態である工具落下防止索具を示す斜視図である。
【図２】本考案の工具落下防止索具における接続帯の収縮状態の縦断面図である。
【図３】本考案の工具落下防止索具における接続帯の伸長状態の縦断面図である。
【図４】本考案の工具落下防止索具における接続帯及びサイド弾性ユニットの横断面図である。
【図５】本考案の工具落下防止索具の使用の一例を示す図である。
【図６】従来の工具落下防止索具の一例を概略的に示す図である。
【図７】従来例の工具落下防止索具の一部の構成を拡大して示す図である。
【考案を実施するための形態】
【００１４】
本考案の特徴及び利点は、添付の図面を参照して、以下の本考案の好適な実施形態の詳細な説明から明らかとなる。
【００１５】
本考案の好適な実施形態に係る工具落下防止索具１は、図示のように、両端にそれぞれカラビナタイプのフック３１、３１が取り付けられ、一端のフック３１を作業員の身（図示せず）に装着する胴ベルト８が備えているハトメ８０に引っ掛けて、他端のフック３１に工具７を引掛けて止めるようになっている。
【００１６】
本実施形態の工具落下防止索具１は、伸縮可能に長条状に延伸された接続帯２と、それぞれの一端が接続帯２の両端２ａ、２ｂに連結され、それぞれの他端が対応するフック３１、３１にＤ字形リングと枢結金具とからなる連結ユニット１ａ、１ｂを介して連結された２本の留めユニット３、３と、それぞれが接続帯２の両側縁に連結して設けられた２本のサイド弾性ユニット４、４とを備えている。なお、他端側のフック３１に例えばキーリング６、接着テープ１１などの小物を繋ぎ止めるループ状に形成されたワイヤ５を引掛けている。
【００１７】
接続帯２は、長手方向へ伸縮可能に延伸されて形成された布帯ユニット２１と、長手方向に沿って伸縮可能に布帯ユニット２１を貫通して設けられたメイン弾性ユニット２２とからなり、布帯ユニット２１とメイン弾性ユニット２２とが一体に縫い合わされてなる。
【００１８】
布帯ユニット２１は、メイン弾性ユニット２２の両面に設けられた第１の伸縮部２１ａと第２の伸縮部２１ｂと、第１の伸縮部２１ａと第２の伸縮部２１ｂとを連結する連結部２１ｃとを有する。
【００１９】
第１の伸縮部２１ａは、メイン弾性ユニット２２の上面側にそれぞれが長手方向と直角に互いに間隔をおいて平行に同一平面に並んだ数本の第１の伸縮部材２１１、２１１、・・・と、メイン弾性ユニット２２の他面にそれぞれが隣接する第１の伸縮部材２１１、２１１の間に対応して配置されるように長手方向と直角に互いに間隔をおいて平行に同一平面に並んだ数本の第２の伸縮部材２１２、２１２、・・・とを有する。連結部２１ｃは、第１の伸縮部材２１１と第２の伸縮部材２１２との隣接同士の端を接続すると共に所定の間隔をおいて並んだ数本の連結部材２１３、２１３、・・・を有する。この実施形態において、第１の伸縮部材２１１、第２の伸縮部材２１２及び連結部材２１３は同じ弾性素材で作られる。
【００２０】
メイン弾性ユニット２２は、互いに等間隔をおいて平行に同一平面に並んだ複数のひも状の弾性部材２２１、２２１、・・・からなり、それぞれが第１の収縮部材２１１と第２の収縮部材２１２との間を通り、各連結部材２１３、２１３、・・・を貫通するように設けられている。
【００２１】
２本のサイド弾性ユニット４、４は、この実施形態においては、ループ状縫い線４０内に抱き込まれるように接続帯２の長手両側にそれぞれ一体に縫い合わされている。なお、この実施形態では、メイン弾性ユニット２２とサイド弾性ユニット４とは同じ弾性素材でつくられる。
【００２２】
接続帯２の両側にサイド弾性ユニット４、４が縫い合わされていることにより、接続帯２が伸びすぎることなく、第１の長さに収縮した状態と、第１の長さより長い第２の長さに伸長した状態とに伸縮可能になっている。
【００２３】
接続帯２の両端側の留めユニット３、３は、例えば織成された扁平帯３２を用いてそれぞれ、折り返し部３２２がＤ字形リングと枢結金具とからなる連結ユニット１ａ、１ｂのＤ字形リングを通って二つ折りにされ、接続帯２の対応端部を挟持するように、たれ端３２１、３２１が重なってＤ字形リングの近くまで一体に縫い合わされている。
【００２４】
ワイヤ５は、例えば金属素材で二つ折りにされ、両端を連結ブロック５１で繋ぎ止めてループ状になる。
【００２５】
本実施形態の工具落下防止索具１は、工具７の吊り下げや使用などによる外力がないとき、接続帯２がメイン弾性ユニット２２及びサイド弾性ユニット４によって第１の長さに収縮した状態にあり、図２に示すように、布帯ユニット２１が、メイン弾性ユニット２２とサイド弾性ユニット４とによって、第１の伸縮部材２１１と第２の伸縮部材２１２のそれぞれの両側を自身の真中に引き寄せて波状に隆起するように収縮する。
【００２６】
一端のフック３１を胴ベルト８のハトメ８０に引っ掛けて、工具７を他端のフック３１に引掛けて止めて本実施形態の工具落下防止索具１を使用すると、工具７の吊り下げや使用中などによる外力によって接続帯２のメイン弾性ユニット２２とサイド弾性ユニット４が第１の長さより長い第２の長さに伸長する状態へと変化し、図３に示すように、第１の伸縮部材２１１と第２の伸縮部材２１２のそれぞれが引張られて広げられて、やや平坦状になる。このように、接続帯２の弾性を利用して工具落下防止索具１は長く伸びることができるので、索具１に引掛けて止めてある工具７をわざわざフック３１から外すことなく、そのまま引張って使用することが可能になる。
【００２７】
また、他端側のフック３１に引掛けられたループ状ワイヤ５に例えばキーリング６、接着テープ１１などの小物を繋ぎ止めることができるので、キーや接着テープなどの小物を作業員のポケットに入れる必要がなく、作業中、これらの小物が誤ってポケットから落ちる心配もなくなり、作業安全性をより一層向上させることができる。
【００２８】
本実施形態の工具落下防止索具１では、布帯ユニット２１及びメイン弾性ユニット２２が一体に縫い合わされているので、接続帯２とサイド弾性ユニット４とが一緒に第１の長さに収縮した状態と、第１の長さより長い第２の長さに伸長した状態とに伸縮することができる。従って、メイン弾性ユニット２２が均一に外力を受けることができ、従来のように弾性部材２２１が単独に外力を受けることがなくなる。また、布帯ユニット２１及びメイン弾性ユニット２２が一体に縫い合わされているので、布帯ユニット２１がメイン弾性ユニット２２に受けた作用力の一部を負担することができ、接続帯２の構造をより丈夫にし、長く使用することができる。また、メイン弾性ユニット２２とサイド弾性ユニット４が伸びすぎないようにすることができるので、メイン弾性ユニット２２の弾性疲労を大幅に軽減することができ、作業安全性が大幅に向上することができる。
【産業上の利用可能性】
【００２９】
本考案の工具落下防止索具は、例えば建築工事現場などに使用される各種工具の使用や落下防止に有用である。
【符号の説明】
【００３０】
１  工具落下防止索具
１１  接着テープ
１ａ、１ｂ  連結ユニット
２  接続帯
２１  布帯ユニット
２１１  第１の伸縮部材
２１２  第２の伸縮部材
２１３  連結部材
２１ａ  第１の伸縮部
２１ｂ  第２の伸縮部
２１ｃ  連結部
２２  メイン弾性ユニット
２２１  弾性部材
２ａ、２ｂ  両端
３  留めユニット
３１  フック
３２  帯
３２１  たれ端
３２２  折り返し部
４  サイド弾性ユニット
４０  縫い線
５  ワイヤ
５１  連結ブロック
６  キーリング
７  工具
８  胴ベルト
８０  ハトメ
【図１】
0003165638.tif 000003
【図２】
0003165638.tif 000004
【図３】
0003165638.tif 000005
【図４】
0003165638.tif 000006
【図５】
0003165638.tif 000007
【図６】
0003165638.tif 000008
【図７】
0003165638.tif 000009